(57)【要約】【課題】スライドスイッチノブにおいて、ケースに対するがたつきの発生を防止する。【解決手段】ケース４１の内部にスライド可能に組み付けられて、ケース４１に形成されたガイド穴４２から外部に露出するスライドスイッチノブ８の組み付け構造であって、ケース４１内部にスライドスイッチノブ８のスライド方向と平行するガイド溝４３を形成して、スライドスイッチノブ８にガイド溝４３に係合する突部８３を設ける。具体的には、ガイド溝４３はガイド穴４２の近傍に形成されている。【選択図】図４
2015103414.tif 000002
【特許請求の範囲】
【請求項１】
ケースの内部にスライド可能に組み付けられて、前記ケースに形成されたガイド穴から外部に露出するスライドスイッチノブの組み付け構造であって、
前記ケース内部に前記スライドスイッチノブのスライド方向と平行するガイド溝を形成して、
前記スライドスイッチノブに前記ガイド溝に係合する突部を設けたことを特徴とするスライドスイッチノブの組み付け構造。
【請求項２】
前記ガイド溝は前記ガイド穴の近傍に形成されていることを特徴とする請求項１に記載のスライドスイッチノブの組み付け構造。
【請求項３】
前記ケースの内部に設けられる回路基板に取り付けられた切り替えスイッチのスライドピンが結合する結合部材が形成されていることを特徴とする請求項１または２に記載のスライドスイッチノブの組み付け構造。
【請求項４】
請求項１〜３の何れか１項に記載の組み付け構造によるスライドスイッチノブを備えることを特徴とする電子機器。
【発明の詳細な説明】
【技術分野】
【０００１】
本発明は、スライドスイッチノブの組み付け構造、その組み付け構造によるスライドスイッチノブを備える電子機器に関する。
【背景技術】
【０００２】
電子機器において、切り替えスイッチ等のスライドスイッチノブは、そのスライドスイッチノブに設けられた爪を、ケースの穴に通して、ホルダの開口部やスイッチ基板の凹所に係止する構造（例えば特許文献１・２参照）が従来一般的であった。
【先行技術文献】
【特許文献】
【０００３】
【特許文献１】特開平７−１３４９２８号公報
【特許文献２】特開平７−２２６１２７号公報
【発明の概要】
【発明が解決しようとする課題】
【０００４】
前述のように従来は、スライドスイッチノブの爪を、ケースの穴に通して、ホルダの開口部やスイッチ基板の凹所に係止する構造のため、ケースに対しスライドスイッチノブががたつく問題があった。
そして、スライドスイッチまわりは、回路基板及び他部品との制限や上ケース及び下ケース同士の制限などがあり、スライドスイッチの周辺にがたつきを押さえる形状を作るのは困難である。
【０００５】
本発明の課題は、スライドスイッチノブにおいて、ケースに対するがたつきの発生を防止することである。
【課題を解決するための手段】
【０００６】
以上の課題を解決するため、本発明は、
ケースの内部にスライド可能に組み付けられて、前記ケースに形成された穴から外部に露出するスライドスイッチノブの組み付け構造であって、
前記ケース内部に前記スライドスイッチノブのスライド方向と平行するガイド溝を形成して、
前記スライドスイッチノブに前記ガイド溝に係合する突部を設けたことを特徴とする。
【発明の効果】
【０００７】
本発明によれば、ケースに対するスライドスイッチノブのがたつきの発生を防止することができる。
【図面の簡単な説明】
【０００８】
【図１】本発明を適用した電子機器の一実施形態の構成を示すもので、電子辞書を開いた使用状態の斜視図である。
【図２】図１のスライドスイッチノブ部分の拡大図である。
【図３】図１の矢印Ａ‐Ａ線に沿った断面図である。
【図４】図３のスライドスイッチノブ部分の拡大図である。
【図５】図１の矢印Ｂ‐Ｂ線に沿った断面図である。
【図６】図５のスライドスイッチノブ部分の拡大図である。
【図７】図１の操作部筐体の上ケース内の部品配置構成例を示す斜視図である。
【図８】図７のスライドスイッチノブ部分の拡大図である。
【図９】図１のスライドスイッチノブの平面図（ａ）と、その矢印Ｃ‐Ｃ線に沿った断面図（ｂ）である。
【発明を実施するための形態】
【０００９】
以下、図を参照して本発明を実施するための形態を詳細に説明する。
（実施形態）
図１は本発明を適用した電子機器の一実施形態の構成として電子辞書を開いた使用状態を示すもので、１は表示部筐体、２は表示部、３はヒンジ結合部、４は操作部筐体、５は操作部である。
【００１０】
図示のように、操作部筐体４には、各種操作キーによる操作部５が設けられるとともに、スピーカ６と、イヤホンプラグ７と、スピーカ／イヤホンの音声切り替え用のスライドスイッチノブ８などが設けられている。
【００１１】
図示例では、操作部筐体４上面の左手前隅部にスピーカ６が配置されて、操作部筐体４前面には、左側のスピーカ６寄り部にイヤホンプラグ７が配置されるとともに、そのスピーカ６とイヤホンプラグ７の間にスピーカ／イヤホン音声切り替え用のスライドスイッチノブ８が配置されている。
【００１２】
図２はスライドスイッチノブ８部分の拡大図である。
図示のように、操作部筐体４は樹脂製の上ケース４１及び下ケース４６を合体して構成され、上ケース４１に形成されたガイド穴４２から樹脂製のスライドスイッチノブ８が露出している。
【００１３】
図３は図１の矢印Ａ‐Ａ線に沿った断面図で、図４はそのスライドスイッチノブ８部分の拡大図である。
図示のように、上ケース４１の内部の回路基板下にスピーカ／イヤホン音声切り替え用の切り替えスイッチ９が搭載される。スライドスイッチノブ８には、摘み部の突出方向と反対方向に延出する平板部８１が切り替えスイッチ９に対向するように形成される。そして、切り替えスイッチ９のスライドピン部９１が、スライドスイッチノブ８の平板部８１に設けられたピン挿入孔８２に挿入され、スイッチ９にピン結合されている（図９参照）。
【００１４】
図５は図１の矢印Ｂ‐Ｂ線に沿った断面図で、図６はそのスライドスイッチノブ８部分の拡大図である。
【００１５】
図７は図１の操作部筐体４の上ケース４１内の部品配置構成例を示す斜視図で、図８はそのスライドスイッチノブ８部分の拡大図である。
このようにして、スピーカ６と、イヤホンプラグ７と、スピーカ／イヤホン音声切り替え用のスライドスイッチノブ８が接近配置されている。
【００１６】
以上において、上ケース４１の内部には、図３及び図４に示すように、ガイド穴４２の直上に平行するガイド溝４３を形成する。
【００１７】
そして、図９（ａ）及び（ｂ）はスピーカ／イヤホン音声切り替え用のスライドスイッチノブ８を示すものである。図示のように、そのスライドスイッチノブ８には、上方に起立して前方に突出するフック形状の突部８３を設ける。
このフック形状の突部８３は、上ケース４１内部のガイド溝４３と噛み合うように係合する。
また、スライドスイッチノブ８には、摘み部の左右方向に延びる目隠し部材８４を設ける。この目隠し部材８４は、ガイド穴４２に挿入されるスライドスイッチノブ８のスライド可能部分の開口を塞ぐ役割を果たす。
【００１８】
以上のスライドスイッチノブ８のフック形状の突部８３を、図３から図６に示すように、上ケース４１内部のガイド溝４３に噛み合うように係合させて組み付ける。
【００１９】
以上、実施形態のスライドスイッチノブ８によれば、そのフック形状の突部８３を、上ケース４１内部のガイド溝４３に係合させて組み付けたため、上ケース４１に対するスライドスイッチノブ８のがたつきの発生を防止することができる。
【００２０】
また、上ケース４１内部でガイド穴４２の直上のガイド溝４３にフック形状の突部８３を係合させたスライド構造により、電子辞書を落下した際にスライドスイッチノブ８が外れにくくなるので、強度アップを図ることができる。
【００２１】
（変形例）
以上の実施形態においては、電子辞書としたが、本発明はこれに限定されるものではなく、携帯電話など他の電子機器であってもよい。
また、実施形態では、音声切り替え用のスライドスイッチに適用したが、スライドスイッチの用途はその他任意に設定し得る。
さらに、ケース内部のガイド溝の形状やスライドスイッチノブ及びその突部の形状等も任意であり、その他、具体的な細部構造等についても適宜に変更可能であることは勿論である。
【００２２】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
ケースの内部にスライド可能に組み付けられて、前記ケースに形成されたガイド穴から外部に露出するスライドスイッチノブの組み付け構造であって、
前記ケース内部に前記スライドスイッチノブのスライド方向と平行するガイド溝を形成して、
前記スライドスイッチノブに前記ガイド溝に係合する突部を設けたことを特徴とするスライドスイッチノブの組み付け構造。
＜請求項２＞
前記ガイド溝は前記ガイド穴の近傍に形成されていることを特徴とする請求項１に記載のスライドスイッチノブの組み付け構造。
＜請求項３＞
前記ケースの内部に設けられる回路基板に取り付けられた切り替えスイッチのスライドピンが結合する結合部材が形成されていることを特徴とする請求項１または２に記載のスライドスイッチノブの組み付け構造。
＜請求項４＞
請求項１〜３の何れか１項に記載の組み付け構造によるスライドスイッチノブを備えることを特徴とする電子機器。
【符号の説明】
【００２３】
１  表示部筐体
２  表示部
３  ヒンジ結合部
４  操作部筐体
４１  上ケース
４２  ガイド穴
４３  ガイド溝
４６  下ケース
５  操作部
６  スピーカ
７  イヤホンプラグ
８  スライドスイッチノブ
８３  突部
９  切り替えスイッチ
【図１】
2015103414.tif 000003
【図２】
2015103414.tif 000004
【図３】
2015103414.tif 000005
【図４】
2015103414.tif 000006
【図５】
2015103414.tif 000007
【図６】
2015103414.tif 000008
【図７】
2015103414.tif 000009
【図８】
2015103414.tif 000010
【図９】
2015103414.tif 000011